(57)【特許請求の範囲】
【請求項１】
多数のブラシ毛が立設され、ブラシ立設面に温風吹き出し口（８）を有するブラシ基台部と、
前記ブラシ基台部の前記温風吹き出し口（８）に温風を供給する温風発生手段が内蔵されたグリップ部と、ち
前記ブラシ基台部に対向して配置され、前記ブラシ基台部に対して起倒自在となるように配置された毛束押え部とを備えており、
前記ブラシ基台部の前記ブラシ立設面は、中央部分が凹むように湾曲したアール面（２ａ）であり、
前記毛束押え部のうちの前記ブラシ基台部の前記アール面（２ａ）と対向する面は、前記アール面（２ａ）に沿って湾曲した押えアール面（５ａ）であり、
前記ブラシ基台部の前記アール面（２ａ）および前記毛束押え部の前記押えアール面（５ａ）のうちの前記ブラシ基台部の前記アール面（２ａ）にのみ前記温風吹き出し口（８）が形成されていることを特徴とするヘアーカールドライヤー。
【請求項２】
前記ブラシ基台部と前記グリップ部とのハウジングが一体となって細長い筒状に形成されていることを特徴とする請求項１に記載のヘアーカールドライヤー。
【請求項３】
前記毛束押え部は、前記ブラシ基台部と前記グリップ部との境界部に軸支部により連結され、これにより前記毛束押え部は、前記ブラシ基台部に対して起倒自在に配置されていることを特徴とする請求項１または請求項２に記載のヘアーカールドライヤー。
【発明の詳細な説明】
【技術分野】
【０００１】
本発明は、家庭において髪の毛の内巻きカールを容易に行うことができるヘアーカールドライヤーに関する。
本発明は、美容室において髪の毛の内巻きカールを容易に行うことができるヘアーカールドライヤーに関する。
【背景技術】
【０００２】
図４に示すように、家庭用に用いられるヘアーカールドライヤー４１は、ブラシ毛４２が立設され、温風吹き出し口を有するブラシ基台部４３と、グリップ部４４とを備えており、ブラシ基台部４３のブラシ立設面４５は、中央部分が突出する湾曲して形成されていた。
【０００３】
このため、ブローで内巻きカールを作る場合には、図５に示すように、ヘアーカールドライヤー４１のブラシ基台部４３を髪の毛束Ａの内側に位置させて、髪の毛束Ａの外側を手で押さえながらブローを行うようにしていた。
【０００４】
しかし、温風は、髪の毛束Ａの内側から外側に向けて吹き出すため、温風が手に当たって熱いうえ、毛先が外側に跳ねていた。
【０００５】
このため、毛先が内側に向きにくく、仕上がりにツヤがなくなり、時間と労力を必要とするにもかかわらず、綺麗でツヤのある内巻きカールにはなり難いという問題があった。
そして、家庭においては、ドライヤーで髪のセットがうまくいかないので、女性はヘアーアイロンやコテを使うしか方法がなく、そのアイロンやコテ等による過剰な熱が髪を非常に痛めるという問題があった。
【０００６】
これに対して、美容室では、図６に示すように、ドライヤー６１とブラシ６２を使い、髪の毛束Ａの内側にブラシ６２を位置させた状態で、髪の毛束Ａの外側からドライヤー６１の温風を当てながら下に移動させることにより、毛先が外側に跳ねることがなく、綺麗でツヤのある内巻きカールを形成される。
【０００７】
しかし、このように両手を使い、ドライヤー６１とブラシ６２を巧みに操る作業は、熟練を要するため、これを家庭で行う場合には、相当の困難を伴うものであった。
美容室において、美容師は、仕事中、両手にドライヤーとヘアーブラシを持たなくてはならない両手がふさがった状態であり、片手がフリーになれば、仕事が楽になるという事情にあった。
【０００８】
以下に、本発明に関連する先行技術文献として、特許文献を掲載する。
【先行技術文献】
【特許文献】
【０００９】
【特許文献１】特開平１０−３３２５３号公報
【発明の概要】
【発明が解決しようとする課題】
【００１０】
本発明者は、上記の点に鑑み、家庭においても、美容室においても、綺麗でツヤのある内巻きカールを簡単にセットできるように鋭意工夫を重ねた結果、家庭においても、熟練を必要とすることなく、美容室でされているのと同様に、綺麗でツヤのある内巻きカールを形成することができるヘアーカールドライヤーを発明するに至った。
美容室においても、美容師が、仕事中、両手にドライヤーとヘアーブラシを持たなくてはならない（両手がふさがった状態）状態から、片手がフリーになり、美容師の仕事が楽になり、かつ、綺麗でツヤのある内巻きカールを形成することができるヘアーカールドライヤーを発明するに至った。
【課題を解決するための手段】
【００１１】
請求項１に記載の発明は、
多数のブラシ毛が立設され、ブラシ立設面に温風吹き出し口（８）を有するブラシ基台部と、
前記ブラシ基台部の前記温風吹き出し口（８）に温風を供給する温風発生手段が内蔵されたグリップ部と、
前記ブラシ基台部に対向して配置され、前記ブラシ基台部に対して起倒自在となるように配置された毛束押え部とを備えており、
前記ブラシ基台部の前記ブラシ立設面は、中央部分が凹むように湾曲したアール面（２ａ）であり、
前記毛束押え部のうちの前記ブラシ基台部の前記アール面（２ａ）と対向する面は、前記アール面（２ａ）に沿って湾曲した押えアール面（５ａ）であり、
前記ブラシ基台部の前記アール面（２ａ）および前記毛束押え部の前記押えアール面（５ａ）のうちの前記ブラシ基台部の前記アール面（２ａ）にのみ前記温風吹き出し口（８）が形成されていることを特徴とするヘアーカールドライヤーである。
【００１２】
請求項２に記載の発明は、
前記ブラシ基台部と前記グリップ部とのハウジングが一体となって細長い筒状に形成されていることを特徴とする請求項１に記載のヘアーカールドライヤーである。
【００１３】
請求項３に記載の発明は、
前記毛束押え部は、前記ブラシ基台部と前記グリップ部との境界部に軸支部により連結され、これにより前記毛束押え部は、前記ブラシ基台部に対して起倒自在に配置されていることを特徴とする請求項１または請求項２に記載のヘアーカールドライヤーである。
【発明の効果】
【００１４】
本発明によれば、家庭においても、熟練を必要とすることなく、美容室でされているのと同様に、綺麗でツヤのある内巻きカールを形成することができるヘアーカールドライヤーを提供することができる。
本発明によれば、美容室においても、美容師が、ヘアーカールドライヤーを使用すれば、仕事中、両手にドライヤーとヘアーブラシを持たなくてはならない（両手がふさがった状態）状態から、片手がフリーになり、美容師の仕事が楽になり、かつ、綺麗でツヤのある内巻きカールを形成することができるヘアーカールドライヤーを提供することができる。
本発明によれば、温風温度が６０°Ｃ程度の温風により髪形を形成することが十分可能なので、ヘアーアイロン等のように髪を高温に晒し、髪を傷めることがない。髪は蛋白質からなり、蛋白質の特性から、６０°Ｃ程度の温度で髪形を形成することが十分可能だからである。
本発明によれば、送風口を髪に密着させて髪を押さえられることで、従来のヘアードライヤーに比較して、髪をセットする際に、ヘアーカールドライヤーの温風が正確に、かつ、無駄なく髪に当てることが可能となったので、大きな風力を必要とせず、省エネルギーで髪をセットすることができる。
【図面の簡単な説明】
【００１５】
【図１】本発明の実施の形態に係るヘアーカールドライヤーを模式的に示す斜視図である。
【図２】本発明の実施の形態に係るヘアーカールドライヤーの断面図である。
【図３】本発明の実施の形態に係るヘアーカールドライヤーの使用状態を示す図である。
【図４】従来のヘアーカールドライヤーを示す斜視図である。
【図５】従来のヘアーカールドライヤーの使用状態を示す図である。
【図６】従来のドライヤーの使用状態を示す図である。
【図７】本発明の実施の形態に係るヘアーカールドライヤーの全体図である。  図７（ａ）は、本発明の実施の形態に係るヘアーカールドライヤーの平面図、  図７（ｂ）は、本発明の実施の形態に係るヘアーカールドライヤーの斜視図、  図７（ｃ）は、本発明の実施の形態に係るヘアーカールドライヤーのＡ−Ａ断面図（図２の断面図と同じ）である。
【発明を実施するための形態】
【００１６】
以下、本発明の実施の形態のヘアーカールドライヤーについて、図面を参照しながら説明する。
【００１７】
図１は、本発明の実施の形態に係るヘアーカールドライヤーを模式的に示す斜視図である。図２は、本発明の実施の形態に係るヘアーカールドライヤーの断面図である。
【００１８】
１．ヘアーカールドライヤーの構成
図１に示すように、ヘアーカールドライヤー１は、ブラシ基台部２と、グリップ部３と、温風発生手段４と、毛束押え部５とを備えている。
【００１９】
ブラシ基台部２とグリップ部３のそれぞれの中空ハウジングは、一体となって細長い筒状になっている。
【００２０】
ブラシ基台部２は、多数のブラシ毛６が立設され、ブラシ立設面７には、図２の矢印のように温風を吹き出すための温風吹き出し口８が形成されている。なお、ブラシ毛６の先端の向きは特に限定はされない。
【００２１】
ブラシ基台部２のブラシ立設面７は、幅方向の中央部分が凹むように湾曲したアール面２ａとなっている。アール面２ａはブラシ基台部２のほぼ全長にわたって形成されている。
【００２２】
グリップ部３には、ブラシ基台部２の温風吹き出し口８に温風を供給する温風発生手段４が内蔵されている。なお、温風発生手段４は、ヒータ、モータおよびファンを備えている。
【００２３】
毛束押え部５は、ブラシ基台部２とグリップ部３との境界部に軸支部９により連結され、これにより毛束押え部５は、ブラシ基台部２に対して起倒自在に配置され、図２に示すように、倒れた状態では、毛束押え部５はブラシ基台部２に対向するようになっている。
【００２４】
毛束押え部５のうちのブラシ基台部２のアール面２ａと対向する面は、ブラシ基台部２のアール面２ａに沿って湾曲した押えアール面５ａとなっている。
【００２５】
また、毛束押え部５は、操作レバー１０を有しており、操作レバー１０により毛束押え部５は起倒するようになっている。なお、必要に応じて毛束押え部５が倒れた状態を保持するためのロック機構が設けられる。
【００２６】
図中の符号１１は温風発生手段４のスイッチであり、１２は電源コードであり、１３はコンセントである。
【００２７】
２．ヘアーカールドライヤーの使用説明
図３は、本発明の実施の形態に係るヘアーカールドライヤー１の使用状態を示す図である。
【００２８】
ヘアーカールドライヤー１により内巻きカールを行う場合には、図３に示すように、ブラシ基台部２を髪の毛束Ａの外側に位置させた状態で、毛束押え部５を倒してブラシ基台部２と、毛束押え部５とで髪の毛束Ａを挟む。
【００２９】
このとき、髪の毛束Ａは、ブラシ基台部２および毛束押え部５のアール面２ａおよび押えアール面５ａに沿って湾曲する。そして、この状態で温風吹き出し口８から温風を髪の毛束Ａの外側から内側に向けて吹き出し、ヘアーカールドライヤー１を下方に移動させる。
【００３０】
このため、家庭においても、美容室で行われる作業と同様に、毛先が外側に跳ね上がることがなく、綺麗でツヤのある内巻きカールを形成することができる。
【００３１】
しかも、手に温風が当たることがなく、また、従来の美容室で行われる作業のように、両手を巧みに操作する必要もないため、家庭においても、簡単に、綺麗でツヤのある内巻きカールを形成することができる。
美容室においても、美容師が、ヘアーカールドライヤーを使用すれば、仕事中、両手にドライヤーとヘアーブラシを持たなくてはならない（両手がふさがった状態）状態から、片手がフリーになり、美容師の仕事が楽になり、かつ、綺麗でツヤのある内巻きカールを形成することができる。
【００３２】
以上、実施の形態に基づいて本発明を説明したが、上記の実施の形態に限定されるものではなく、本発明と同一及び均等の範囲内において、種々の変更を加えることができる。
【符号の説明】
【００３３】
１            ヘアーカールドライヤー
２            ブラシ基台部
２ａ          アール面
３            グリップ部
４            温風発生手段
５            毛束押え部
５ａ          押えアール面
６            ブラシ毛
７            ブラシ立設面
８            温風吹き出し口
９            軸支部
１０          操作レバー
１１          スイッチ
１２          電源コード
１３          コンセント
４１          ヘアーカールドライヤー
４２          ブラシ毛
４３          ブラシ基台部
４４          グリップ部
４５          ブラシ立設面
６１          ドライヤー
６２          ブラシ
Ａ            髪の毛束
【図１】
0005192594.tif 000002
【図２】
0005192594.tif 000003
【図３】
0005192594.tif 000004
【図４】
0005192594.tif 000005
【図５】
0005192594.tif 000006
【図６】
0005192594.tif 000007
【図７】
0005192594.tif 000008